【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
投入操作及び受取り操作を含む荷物（７）の取扱いに対して構成されたタイプの自動ロッカー装置（１）であって、
少なくとも１つの荷物保管ゾーン（２）と、
少なくとも１つの荷物受取り箇所（３）と、
前記受取り操作のために、受け取るべき荷物を前記少なくとも１つの保管ゾーンから前記少なくとも１つの受取り箇所まで移動させるように構成されたハンドリング手段（５）と、
前記ハンドリング手段を管理するモジュールと
を備え、
前記少なくとも１つの保管ゾーン及び前記少なくとも１つの受取り箇所は、前記受取り操作に専用であるように構成されていることと、
該自動ロッカー装置は、前記投入操作及び場合により回収操作に専用であるように構成された少なくとも１つのバッファーゾーン（４）及び少なくとも１つの開口部（４２、４３、５２）を更に備え、前記少なくとも１つのバッファーゾーンは前記少なくとも１つの保管ゾーンとは別個であり、前記少なくとも１つの開口部は、前記少なくとも１つの受取り箇所とは別個であり、かつ、投入操作中、投入すべき荷物を前記少なくとも１つのバッファーゾーン内に導入するように構成されていることと、
前記管理するモジュールは、前記投入操作中、前記ハンドリング手段が前記投入すべき荷物を、該荷物が前記少なくとも１つの開口部を介して事前に投入されている前記少なくとも１つのバッファーゾーンから、前記少なくとも１つの保管ゾーンに向かって移動させるように、構成されていることと
を特徴とする、自動ロッカー装置。
【請求項２】
前記管理モジュールは、前記回収操作中、前記ハンドリング手段が前記回収すべき荷物を前記少なくとも１つの保管ゾーンから前記少なくとも１つのバッファーゾーンまで移動させるように、構成されていることと、前記少なくとも１つの開口部（４２、４３、５２）は、前記回収操作中、前記回収すべき荷物を前記少なくとも１つのバッファーゾーンからかつ前記自動ロッカー装置から出すように構成されていることとを特徴とする、請求項１に記載の自動ロッカー装置。
【請求項３】
前記少なくとも１つの保管ゾーンは、少なくとも１つのラック型棚（９）を備えることを特徴とする、請求項１又は２に記載の自動ロッカー装置。
【請求項４】
前記少なくとも１つのバッファーゾーンは、複数のバッファーセルが設けられた少なくとも１つの可動トロリー（６）を収容するように構成されていることと、
前記少なくとも１つの開口部（４３）は、前記少なくとも１つの可動トロリーを前記少なくとも１つのバッファーゾーンに導入しかつ該少なくともバッファーゾーンから出すように構成されていることと、
前記管理モジュールは、前記少なくとも１つの可動トロリーが前記少なくとも１つのバッファーゾーン内に導入された後、前記投入操作時、前記ハンドリング手段が、前記投入すべき荷物を前記複数のバッファーセルから前記少なくとも１つの保管ゾーンまで移動させ、前記回収操作時、前記ハンドリング手段が、前記回収すべき荷物を前記少なくとも１つの保管ゾーンから前記複数のバッファーセルまで移動させるように、構成されていることと
を特徴とする、請求項１〜３のいずれか一項に記載の自動ロッカー装置。
【請求項５】
前記少なくとも１つのバッファーゾーンは、固定されかつ複数のバッファーセルが設けられた少なくとも１つのラック型棚（４０）と、前記少なくとも１つのバッファーゾーンの外部から前記バッファーセルにアクセスするために構成された前記少なくとも１つの開口部（４２）とを備えることと、
前記管理モジュールは、前記投入操作時、前記ハンドリング手段が前記投入すべき荷物を前記複数のバッファーセルから前記少なくとも１つの保管ゾーンまで移動させ、前記回収操作時、前記ハンドリング手段が、前記回収すべき荷物を前記少なくとも１つの保管ゾーンから前記複数のバッファーセルまで移動させるように、構成されていることと
を特徴とする、請求項１〜３のいずれか一項に記載の自動ロッカー装置。
【請求項６】
前記少なくとも１つのバッファーゾーンは、
複数のバッファーセルが設けられた可動部（５０ｂ）を備える少なくとも１つのラック型棚（５０ａ）と、
少なくとも部分的に、前記可動部を前記少なくとも１つのバッファーゾーンから出しかつ該少なくとも１つのバッファーゾーン内に再導入するように構成された前記少なくとも１つの開口部（５２）と
を備えることと、
前記管理モジュールは、前記少なくとも１つの可動トロリーが前記少なくともバッファーゾーン内に導入された後、前記投入操作時、前記ハンドリング手段が前記投入すべき荷物を前記複数のバッファーセルから前記少なくとも１つの保管ゾーンまで移動させ、前記回収操作時、前記ハンドリング手段が前記回収すべき荷物を前記少なくとも１つの保管ゾーンから前記複数のバッファーセルまで移動させるように、構成されていることと
を特徴とする、請求項１〜３のいずれか一項に記載の自動ロッカー装置。
【請求項７】
前記少なくとも１つのバッファーゾーンの前記少なくとも１つのラック型棚（５０ａ）は、前記可動部に可動性を提供するように構成された第１の格納式スライド型装置（５１）を備えることを特徴とする、請求項６に記載の自動ロッカー装置。
【請求項８】
前記バッファーセルのうちの少なくとも１つは、前記少なくとも１つの可動トロリーに又は前記少なくとも１つのバッファーゾーンの前記少なくとも１つのラック型棚に含まれる支持構造体に対する可動性を前記バッファーセルに提供するように構成された第２の格納式スライド型の装置（４１、６２）に取り付けられていることを特徴とする、請求項４〜７のいずれか一項に記載の自動ロッカー装置。
【請求項９】
請求項１〜８のいずれか一項に記載の自動ロッカー装置により荷物を取り扱う方法であって、投入操作に対して、以下の連続するステップ、すなわち、
投入すべき少なくとも１つの荷物の、前記少なくとも１つの開口部を介する前記少なくとも１つのバッファーゾーンへの挿入のステップ（７１〜７４）と、
前記ハンドリング手段による、前記少なくとも１つの投入すべき荷物の、前記少なくとも１つのバッファーゾーンから前記少なくとも１つの保管ゾーンへの移動のステップ（７５）と
を含むことを特徴とする方法。
【請求項１０】
請求項４に記載の自動ロッカー装置により荷物を取り扱う請求項９に記載の方法であって、前記挿入のステップは、以下のステップ、すなわち、
前記少なくとも１つの可動トロリーの前記少なくとも１つのバッファーゾーンからの取出しのステップ（７２）と、
投入すべき少なくとも１つの荷物の、前記少なくとも１つの可動トロリーの前記バッファーセルのうちの少なくとも１つへの挿入のステップ（７３）と、
前記少なくとも１つの可動トロリーの前記少なくとも１つのバッファーゾーンへの導入のステップ（７４）と
を含むことを特徴とする方法。
【請求項１１】
請求項６に記載の自動ロッカー装置により荷物を取り扱う請求項９に記載の方法であって、前記挿入のステップは、以下のステップ、すなわち、
前記可動部の前記少なくとも１つのバッファーゾーンからの少なくとも部分的な取出しのステップと、
少なくとも１つの投入すべき荷物の、前記可動部の前記バッファーセルのうちの少なくとも１つへの挿入のステップと、
前記可動部の前記少なくとも１つのバッファーゾーンへの導入のステップと
を含むことを特徴とする方法。
【請求項１２】
回収操作に対して、以下の連続するステップ、すなわち、
前記ハンドリング手段による、少なくとも１つの回収すべき荷物の、前記少なくとも１つの保管ゾーンから前記少なくとも１つのバッファーゾーンへの移動のステップ（８１）と、
前記少なくとも１つの回収すべき荷物の前記少なくとも１つのバッファーゾーンからの受取りのステップ（８２、８３）と
を含むことを特徴とする、請求項９〜１１のいずれか一項に記載の方法。
【請求項１３】
請求項４に記載の自動ロッカー装置により荷物を取り扱う請求項１２に記載の方法であって、前記受取りのステップは、以下のステップ、すなわち、
前記少なくとも１つの可動トロリーの、前記少なくとも１つの開口部を介する前記少なくとも１つのバッファーゾーンからの取出しのステップ（８２）と、
少なくとも１つの回収すべき荷物の前記少なくとも１つの可動トロリーの前記バッファーセルからの受取りのステップ（８３）と、
前記少なくとも１つの可動トロリーの、少なくとも１つの開口部を介する前記少なくとも１つのバッファーゾーンへの導入のステップ（８４）と
を含むことを特徴とする方法。
【請求項１４】
請求項６に記載の自動ロッカー装置により荷物を取り扱う請求項１２に記載の方法であって、前記受取りのステップは、以下のステップ、すなわち、
前記可動部の、前記少なくとも１つの開口部を介する前記少なくとも１つのバッファーゾーンからの少なくとも部分的な取出しのステップと、
少なくとも１つの回収すべき荷物の前記可動部の前記バッファーセルからの受取りのステップと、
前記可動部の、前記少なくとも１つの開口部を介する前記少なくとも１つのバッファーゾーンへの導入のステップと
を含むことを特徴とする方法。
【請求項１５】
請求項４に記載の自動ロッカー装置を用いて荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから、前記少なくとも１つのバッファーゾーン内に配置された前記少なくとも１つの可動トロリーの前記バッファーセルのうちの前記少なくとも１つへの移動のステップ（８１）と、
前記少なくとも１つの可動トロリーの、前記少なくとも１つの開口部を介する前記少なくとも１つのバッファーゾーンからの取出しのステップ（８２）と、
前記少なくとも１つの回収すべき荷物の前記少なくとも１つの可動トロリーの前記バッファーセルからの受取りのステップ（８３）と、
少なくとも１つの投入すべき荷物の前記少なくとも１つの可動トロリーの前記バッファーセルのうちの少なくとも１つへの挿入のステップ（８５）と、
前記少なくとも１つの可動トロリーの、前記少なくとも１つの開口部を介する前記少なくとも１つのバッファーゾーンへの導入のステップ（８６）と、
前記ハンドリング手段による、前記少なくとも１つの投入すべき荷物の、前記少なくとも１つの可動トロリーの前記少なくとも１つのバッファーセルから前記少なくとも１つの保管ゾーンへの移動のステップ（８６）と
を含むことを特徴とする方法。
【請求項１６】
請求項５に記載の自動ロッカー装置により荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから前記少なくとも１つのバッファーゾーンの前記少なくとも１つのラック型棚の前記バッファーセルのうちの前記少なくとも１つへの移動のステップと、
前記少なくとも１つの回収すべき荷物の、前記少なくとも１つの開口部を介する前記バッファーセルからの受取りのステップと、
少なくとも１つの投入すべき荷物の、前記少なくとも１つの開口部を介する前記バッファーセルのうちの少なくとも１つへの挿入のステップと、
前記ハンドリング手段による、前記少なくとも１つの投入すべき荷物の、前記少なくとも１つのバッファーセルから前記少なくとも１つの保管ゾーンへの移動のステップと
を含むことを特徴とする方法。
【請求項１７】
請求項６に記載の自動ロッカー装置により荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから前記少なくとも１つのバッファーゾーンに配置された前記可動部の前記バッファーセルのうちの少なくとも１つへの移動のステップと、
前記可動部の、前記少なくとも１つの開口部を介する前記少なくとも１つのバッファーゾーンからの取出しのステップと、
前記可動部の前記バッファーセルからの前記少なくとも１つの回収すべき荷物の受取りのステップと、
少なくとも１つの投入すべき荷物の前記可動部の前記バッファーセルのうちの少なくとも１つへの挿入のステップと、
前記可動部の、前記少なくとも１つの開口部を介する前記少なくとも１つのバッファーゾーンへの導入のステップと、
前記ハンドリング手段による、前記少なくとも１つの配達すべき荷物の、前記可動部の前記少なくとも１つのバッファーセルから前記少なくとも１つの保管ゾーンへの移動のステップと
を含むことを特徴とする方法。
【請求項１８】
請求項４に記載の自動ロッカー装置により荷物を取り扱う請求項９〜１５のいずれか一項に記載の方法であって、並列して行われる動作に対し、以下の連続するステップ、すなわち、
前記少なくとも１つのバッファーゾーンの外側に配置された第１の可動トロリーにおける、投入すべき少なくとも１つの第１の荷物の挿入（９６）及び／又は回収すべき少なくとも１つの第１の荷物の回収の間、前記ハンドリング手段は、少なくとも１つの回収すべき第２の荷物を前記少なくとも１つの保管ゾーンから前記少なくとも１つのバッファーゾーンに配置された第２の可動トロリーまで移動させ、及び／又は少なくとも１つの投入すべき第２の荷物を前記第２の可動トロリーから前記少なくとも１つの保管ゾーンまで移動させるステップと、
前記少なくとも１つの開口部を介して、前記第２の可動トロリーは、前記少なくとも１つのバッファーゾーンから取り出され（９７）、前記第１の可動トロリーは、前記少なくとも１つのバッファーゾーンに導入されるステップ（９８）と、
前記少なくとも１つの回収すべき第２の荷物の回収（９９）及び／又は少なくとも１つの投入すべき第３の荷物の前記少なくとも１つのバッファーゾーンの外側に配置された前記第２の可動トロリーへの挿入の間、前記ハンドリング手段は、前記少なくとも１つの投入すべき第１の荷物を前記少なくとも１つのバッファーゾーンに配置された前記第１の可動トロリーから前記少なくとも１つの保管ゾーンまで移動させ（９４）、及び／又は少なくとも１つの回収すべき第３の荷物を前記少なくとも１つの保管ゾーンから前記少なくとも１つのバッファーゾーンに配置された前記第１の可動トロリーまで移動させるステップと
を含むことを特徴とする方法。
【請求項１９】
請求項５に記載の自動ロッカー装置により荷物を取り扱う請求項９〜１４及び１６のいずれか一項に記載の方法であって、並列して行われる動作に対し、以下の連続するステップ、すなわち、
前記少なくとも１つのバッファーゾーンの前記棚における、少なくとも１つの投入すべき第１の荷物の挿入及び／又は少なくとも１つの回収すべき第１の荷物の回収の間、前記ハンドリング手段は、少なくとも１つの回収すべき第２の荷物を前記少なくとも１つの保管ゾーンから前記少なくとも１つのバッファーゾーンの別の前記棚まで移動させ、及び／又は少なくとも１つの投入すべき第２の荷物を前記少なくとも１つのバッファーゾーンの前記別の棚から前記少なくとも１つの保管ゾーンまで移動させるステップと、
前記少なくとも１つのバッファーゾーンの前記別の棚における、前記少なくとも１つの回収すべき第２の荷物の受取り及び／又は少なくとも１つの投入すべき第３の荷物の挿入の間、前記ハンドリング手段は、前記少なくとも１つの投入すべき第１の荷物を前記少なくとも１つのバッファーゾーンの前記棚から前記少なくとも１つの保管ゾーンに向かって移動させ、及び／又は少なくとも１つの回収すべき第３の荷物を前記少なくとも１つの保管ゾーンから前記少なくとも１つのバッファーゾーンの前記棚まで移動させるステップと
を含むことを特徴とする方法。
【請求項２０】
請求項６に記載の自動ロッカー装置により荷物を取り扱う請求項９〜１４及び１７のいずれか一項に記載の方法であって、並列して行われる動作に対し、以下の連続するステップ、
前記少なくとも１つのバッファーゾーンの外側に少なくとも部分的に配置された第１の可動棚部における、少なくとも１つの投入すべき荷物の挿入及び／又は少なくとも１つの回収すべき第１の荷物の回収の間、前記ハンドリング手段は、少なくとも１つの回収すべき第２の荷物を前記少なくとも１つの保管ゾーンから前記少なくとも１つのバッファーゾーンに配置された第２の可動棚部まで移動させ、及び／又は少なくとも１つの投入すべき第２の荷物を前記第２の可動部から前記少なくとも１つの保管ゾーンまで移動させるステップと、
前記第２の可動部は、前記少なくとも１つのバッファーゾーンから少なくとも部分的に取り出され、前記第１の可動部は、前記少なくとも１つのバッファーゾーンに導入されるステップと、
前記少なくとも１つの回収すべき第２の荷物の回収及び／又は少なくとも１つの投入すべき第３の荷物の、少なくとも部分的に前記少なくとも１つのバッファーゾーンの外側に配置された前記第２の可動部への挿入の間、前記ハンドリング手段は、前記少なくとも１つの投入すべき第１の荷物を前記少なくとも１つのバッファーゾーンに配置された前記第１の可動部から前記少なくとも１つの保管ゾーンまで移動させ、及び／又は少なくとも１つの回収すべき第３の荷物を、前記少なくとも１つのバッファーゾーンから前記少なくとも１つのバッファーゾーンに配置された前記第１の可動部まで移動させるステップと
を含むことを特徴とする方法。 
【手続補正２】
【補正対象書類名】明細書
【補正対象項目名】０１２６
【補正方法】変更
【補正の内容】
【０１２６】
図６に示す第３の代替実施態様は、各バッファーセルもまた、ラック型棚５０ａの可動部５ｂと比較してバッファーセルに可動性を提供するように構成された格納式スライド型装置６２に取り付けられているという点で、第２の変形とは区別される。これは、バッファーセルの中身に対してより人間工学的なアクセスを可能にするために行われる。
なお、出願当初の特許請求の範囲の記載は以下の通りである。
請求項１：
投入操作及び受取り操作を含む荷物（７）の取扱いに対して構成されたタイプの自動ロッカー装置（１）であって、
少なくとも１つの荷物保管ゾーン（２）と、
少なくとも１つの荷物受取り箇所（３）と、
前記受取り操作のために、受け取るべき荷物を前記少なくとも１つの保管ゾーンから前記少なくとも１つの受取り箇所まで移動させるように構成されたハンドリング手段（５）と、
前記ハンドリング手段を管理するモジュールと、
を備え、
前記少なくとも１つの保管ゾーン及び前記少なくとも１つの受取り箇所は、前記受取り操作に専用であるように構成されていることと、
該自動ロッカー装置は、前記投入操作及び場合により回収操作に専用であるように構成された少なくとも１つのバッファーゾーン（４）及び少なくとも１つの開口部（４２、４３、５２）を更に備え、前記少なくとも１つのバッファーゾーンは前記少なくとも１つの保管ゾーンとは別個であり、前記少なくとも１つの開口部は、前記少なくとも１つの受取り箇所とは別個であり、かつ、投入操作中、投入すべき荷物を前記少なくとも１つのバッファーゾーン内に導入するように構成されていることと、
前記管理するモジュールは、前記投入操作中、前記ハンドリング手段が前記投入すべき荷物を、該荷物が前記少なくとも１つの開口部を介して事前に投入されている前記少なくとも１つのバッファーゾーンから、前記少なくとも１つの保管ゾーンに向かって移動させるように、構成されていることと、
を特徴とする、自動ロッカー装置。
請求項２：
前記管理モジュールは、前記回収操作中、前記ハンドリング手段が前記回収すべき荷物を前記少なくとも１つの保管ゾーンから前記少なくとも１つのバッファーゾーンまで移動させるように、構成されていることと、前記少なくとも１つの開口部（４２、４３、５２）は、前記回収操作中、前記回収すべき荷物を前記少なくとも１つのバッファーゾーンからかつ前記自動ロッカー装置から出すように構成されていることとを特徴とする、請求項１に記載の自動ロッカー装置。
請求項３：
前記少なくとも１つの保管ゾーンは、少なくとも１つのラック型棚（９）を備えることを特徴とする、請求項１又は２に記載の自動ロッカー装置。
請求項４：
前記少なくとも１つのバッファーゾーンは、複数のバッファーセルが設けられた少なくとも１つの可動トロリー（６）を収容するように構成されていることと、
前記少なくとも１つの開口部（４３）は、前記少なくとも１つの可動トロリーを前記少なくとも１つのバッファーゾーンに導入しかつ該少なくともバッファーゾーンから出すように構成されていることと、
前記管理モジュールは、前記少なくとも１つの可動トロリーが前記少なくとも１つのバッファーゾーン内に導入された後、前記投入操作時、前記ハンドリング手段が、前記投入すべき荷物を前記複数のバッファーセルから前記少なくとも１つの保管ゾーンまで移動させ、前記回収操作時、前記ハンドリング手段が、前記回収すべき荷物を前記少なくとも１つの保管ゾーンから前記複数のバッファーセルまで移動させるように、構成されていることと、
を特徴とする、請求項１〜３のいずれか一項に記載の自動ロッカー装置。
請求項５：
前記少なくとも１つのバッファーゾーンは、
固定されかつ複数のバッファーセルが設けられた少なくとも１つのラック型棚（４０）と、
前記少なくとも１つのバッファーゾーンの外部から前記バッファーセルにアクセスするために構成された前記少なくとも１つの開口部（４２）と、
を備えることと、
前記管理モジュールは、前記投入操作時、前記ハンドリング手段が前記投入すべき荷物を前記複数のバッファーセルから前記少なくとも１つの保管ゾーンまで移動させ、前記回収操作時、前記ハンドリング手段が、前記回収すべき荷物を前記少なくとも１つの保管ゾーンから前記複数のバッファーセルまで移動させるように、構成されていることと、
を特徴とする、請求項１〜３のいずれか一項に記載の自動ロッカー装置。
請求項６：
前記少なくとも１つのバッファーゾーンは、
複数のバッファーセルが設けられた可動部（５０ｂ）を備える少なくとも１つのラック型棚（５０ａ）と、
少なくとも部分的に、前記可動部を前記少なくとも１つのバッファーゾーンから出しかつ該少なくとも１つのバッファーゾーン内に再導入するように構成された前記少なくとも１つの開口部（５２）と、
を備えることと、
前記管理モジュールは、前記少なくとも１つの可動トロリーが前記少なくともバッファーゾーン内に導入された後、前記投入操作時、前記ハンドリング手段が前記投入すべき荷物を前記複数のバッファーセルから前記少なくとも１つの保管ゾーンまで移動させ、前記回収操作時、前記ハンドリング手段が前記回収すべき荷物を前記少なくとも１つの保管ゾーンから前記複数のバッファーセルまで移動させるように、構成されていることと、
を特徴とする、請求項１〜３のいずれか一項に記載の自動ロッカー装置。
請求項７：
前記少なくとも１つのバッファーゾーンの前記少なくとも１つのラック型棚（５０ａ）は、前記可動部に可動性を提供するように構成された第１の格納式スライド型装置（５１）を備えることを特徴とする、請求項６に記載の自動ロッカー装置。
請求項８：
前記バッファーセルのうちの少なくとも１つは、前記少なくとも１つの可動トロリーに又は前記少なくとも１つのバッファーゾーンの前記少なくとも１つのラック型棚に含まれる支持構造体に対する可動性を前記バッファーセルに提供するように構成された第２の格納式スライド型の装置（４１、６２）に取り付けられていることを特徴とする、請求項４〜７のいずれか一項に記載の自動ロッカー装置。
請求項９：
請求項１〜８のいずれか一項に記載の自動ロッカー装置により荷物を取り扱う方法であって、投入操作に対して、以下の連続するステップ、すなわち、
投入すべき少なくとも１つの荷物の、前記少なくとも１つの開口部を介する前記少なくとも１つのバッファーゾーンへの挿入のステップ（７１〜７４）と、
前記ハンドリング手段による、前記少なくとも１つの投入すべき荷物の、前記少なくとも１つのバッファーゾーンから前記少なくとも１つの保管ゾーンへの移動のステップ（７５）と、
を含むことを特徴とする、方法。
請求項１０：
請求項４に記載の自動ロッカー装置により荷物を取り扱う請求項９に記載の方法であって、前記挿入のステップは、以下のステップ、すなわち、
前記少なくとも１つの可動トロリーの前記少なくとも１つのバッファーゾーンからの取出しのステップ（７２）と、
投入すべき少なくとも１つの荷物の、前記少なくとも１つの可動トロリーの前記バッファーセルのうちの少なくとも１つへの挿入のステップ（７３）と、
前記少なくとも１つの可動トロリーの前記少なくとも１つのバッファーゾーンへの導入のステップ（７４）と、
を含むことを特徴とする、方法。
請求項１１：
請求項６に記載の自動ロッカー装置により荷物を取り扱う請求項９に記載の方法であって、前記挿入のステップは、以下のステップ、すなわち、
前記可動部の前記少なくとも１つのバッファーゾーンからの少なくとも部分的な取出しのステップと、
少なくとも１つの投入すべき荷物の、前記可動部の前記バッファーセルのうちの少なくとも１つへの挿入のステップと、
前記可動部の前記少なくとも１つのバッファーゾーンへの導入のステップと、
を含むことを特徴とする、方法。
請求項１２：
回収操作に対して、以下の連続するステップ、すなわち、
前記ハンドリング手段による、少なくとも１つの回収すべき荷物の、前記少なくとも１つの保管ゾーンから前記少なくとも１つのバッファーゾーンへの移動のステップ（８１）と、
前記少なくとも１つの回収すべき荷物の前記少なくとも１つのバッファーゾーンからの受取りのステップ（８２、８３）と、
を含むことを特徴とする、請求項９〜１１のいずれか一項に記載の方法。
請求項１３：
請求項４に記載の自動ロッカー装置により荷物を取り扱う請求項１２に記載の方法であって、前記受取りのステップは、以下のステップ、すなわち、
前記少なくとも１つの可動トロリーの、前記少なくとも１つの開口部を介する前記少なくとも１つのバッファーゾーンからの取出しのステップ（８２）と、
少なくとも１つの回収すべき荷物の前記少なくとも１つの可動トロリーの前記バッファーセルからの受取りのステップ（８３）と、
前記少なくとも１つの可動トロリーの、少なくとも１つの開口部を介する前記少なくとも１つのバッファーゾーンへの導入のステップ（８４）と、
を含むことを特徴とする、方法。
請求項１４：
請求項６に記載の自動ロッカー装置により荷物を取り扱う請求項１２に記載の方法であって、前記受取りのステップは、以下のステップ、すなわち、
前記可動部の、前記少なくとも１つの開口部を介する前記少なくとも１つのバッファーゾーンからの少なくとも部分的な取出しのステップと、
少なくとも１つの回収すべき荷物の前記可動部の前記バッファーセルからの受取りのステップと、
前記可動部の、前記少なくとも１つの開口部を介する前記少なくとも１つのバッファーゾーンへの導入のステップと、
を含むことを特徴とする、方法。
請求項１５：
請求項４に記載の自動ロッカー装置を用いて荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから、前記少なくとも１つのバッファーゾーン内に配置された前記少なくとも１つの可動トロリーの前記バッファーセルのうちの前記少なくとも１つへの移動のステップ（８１）と、
前記少なくとも１つの可動トロリーの、前記少なくとも１つの開口部を介する前記少なくとも１つのバッファーゾーンからの取出しのステップ（８２）と、
前記少なくとも１つの回収すべき荷物の前記少なくとも１つの可動トロリーの前記バッファーセルからの受取りのステップ（８３）と、
少なくとも１つの投入すべき荷物の前記少なくとも１つの可動トロリーの前記バッファーセルのうちの少なくとも１つへの挿入のステップ（８５）と、
前記少なくとも１つの可動トロリーの、前記少なくとも１つの開口部を介する前記少なくとも１つのバッファーゾーンへの導入のステップ（８６）と、
前記ハンドリング手段による、前記少なくとも１つの投入すべき荷物の、前記少なくとも１つの可動トロリーの前記少なくとも１つのバッファーセルから前記少なくとも１つの保管ゾーンへの移動のステップ（８６）と、
を含むことを特徴とする、方法。
請求項１６：
請求項５に記載の自動ロッカー装置により荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから前記少なくとも１つのバッファーゾーンの前記少なくとも１つのラック型棚の前記バッファーセルのうちの前記少なくとも１つへの移動のステップと、
前記少なくとも１つの回収すべき荷物の、前記少なくとも１つの開口部を介する前記バッファーセルからの受取りのステップと、
少なくとも１つの投入すべき荷物の、前記少なくとも１つの開口部を介する前記バッファーセルのうちの少なくとも１つへの挿入のステップと、
前記ハンドリング手段による、前記少なくとも１つの投入すべき荷物の、前記少なくとも１つのバッファーセルから前記少なくとも１つの保管ゾーンへの移動のステップと、
を含むことを特徴とする、方法。
請求項１７：
請求項６に記載の自動ロッカー装置により荷物を取り扱う請求項９〜１４のいずれか一項に記載の方法であって、組み合わされた回収の操作及び投入の操作に対して、以下の連続するステップ、すなわち、
前記ハンドリング手段による、少なくとも１つの回収すべき荷物の、前記少なくとも１つの保管ゾーンから前記少なくとも１つのバッファーゾーンに配置された前記可動部の前記バッファーセルのうちの少なくとも１つへの移動のステップと、
前記可動部の、前記少なくとも１つの開口部を介する前記少なくとも１つのバッファーゾーンからの取出しのステップと、
前記可動部の前記バッファーセルからの前記少なくとも１つの回収すべき荷物の受取りのステップと、
少なくとも１つの投入すべき荷物の前記可動部の前記バッファーセルのうちの少なくとも１つへの挿入のステップと、
前記可動部の、前記少なくとも１つの開口部を介する前記少なくとも１つのバッファーゾーンへの導入のステップと、
前記ハンドリング手段による、前記少なくとも１つの配達すべき荷物の、前記可動部の前記少なくとも１つのバッファーセルから前記少なくとも１つの保管ゾーンへの移動のステップと、
を含むことを特徴とする、方法。
請求項１８：
請求項４に記載の自動ロッカー装置により荷物を取り扱う請求項９〜１５のいずれか一項に記載の方法であって、並列して行われる動作に対し、以下の連続するステップ、すなわち、
前記少なくとも１つのバッファーゾーンの外側に配置された第１の可動トロリーにおける、投入すべき少なくとも１つの第１の荷物の挿入（９６）及び／又は回収すべき少なくとも１つの第１の荷物の回収の間、前記ハンドリング手段は、少なくとも１つの回収すべき第２の荷物を前記少なくとも１つの保管ゾーンから前記少なくとも１つのバッファーゾーンに配置された第２の可動トロリーまで移動させ、及び／又は少なくとも１つの投入すべき第２の荷物を前記第２の可動トロリーから前記少なくとも１つの保管ゾーンまで移動させるステップと、
前記少なくとも１つの開口部を介して、前記第２の可動トロリーは、前記少なくとも１つのバッファーゾーンから取り出され（９７）、前記第１の可動トロリーは、前記少なくとも１つのバッファーゾーンに導入されるステップ（９８）と、
前記少なくとも１つの回収すべき第２の荷物の回収（９９）及び／又は少なくとも１つの投入すべき第３の荷物の前記少なくとも１つのバッファーゾーンの外側に配置された前記第２の可動トロリーへの挿入の間、前記ハンドリング手段は、前記少なくとも１つの投入すべき第１の荷物を前記少なくとも１つのバッファーゾーンに配置された前記第１の可動トロリーから前記少なくとも１つの保管ゾーンまで移動させ（９４）、及び／又は少なくとも１つの回収すべき第３の荷物を前記少なくとも１つの保管ゾーンから前記少なくとも１つのバッファーゾーンに配置された前記第１の可動トロリーまで移動させるステップと、
を含むことを特徴とする、方法。
請求項１９：
請求項５に記載の自動ロッカー装置により荷物を取り扱う請求項９〜１４及び１６のいずれか一項に記載の方法であって、並列して行われる動作に対し、以下の連続するステップ、すなわち、
前記少なくとも１つのバッファーゾーンの前記棚における、少なくとも１つの投入すべき第１の荷物の挿入及び／又は少なくとも１つの回収すべき第１の荷物の回収の間、前記ハンドリング手段は、少なくとも１つの回収すべき第２の荷物を前記少なくとも１つの保管ゾーンから前記少なくとも１つのバッファーゾーンの別の前記棚まで移動させ、及び／又は少なくとも１つの投入すべき第２の荷物を前記少なくとも１つのバッファーゾーンの前記別の棚から前記少なくとも１つの保管ゾーンまで移動させるステップと、
前記少なくとも１つのバッファーゾーンの前記別の棚における、前記少なくとも１つの回収すべき第２の荷物の受取り及び／又は少なくとも１つの投入すべき第３の荷物の挿入の間、前記ハンドリング手段は、前記少なくとも１つの投入すべき第１の荷物を前記少なくとも１つのバッファーゾーンの前記棚から前記少なくとも１つの保管ゾーンに向かって移動させ、及び／又は少なくとも１つの回収すべき第３の荷物を前記少なくとも１つの保管ゾーンから前記少なくとも１つのバッファーゾーンの前記棚まで移動させるステップと、
を含むことを特徴とする、方法。
請求項２０：
請求項６に記載の自動ロッカー装置により荷物を取り扱う請求項９〜１４及び１７のいずれか一項に記載の方法であって、並列して行われる動作に対し、以下の連続するステップ、
前記少なくとも１つのバッファーゾーンの外側に少なくとも部分的に配置された第１の可動棚部における、少なくとも１つの投入すべき荷物の挿入及び／又は少なくとも１つの回収すべき第１の荷物の回収の間、前記ハンドリング手段は、少なくとも１つの回収すべき第２の荷物を前記少なくとも１つの保管ゾーンから前記少なくとも１つのバッファーゾーンに配置された第２の可動棚部まで移動させ、及び／又は少なくとも１つの投入すべき第２の荷物を前記第２の可動部から前記少なくとも１つの保管ゾーンまで移動させるステップと、
前記第２の可動部は、前記少なくとも１つのバッファーゾーンから少なくとも部分的に取り出され、前記第１の可動部は、前記少なくとも１つのバッファーゾーンに導入されるステップと、
前記少なくとも１つの回収すべき第２の荷物の回収及び／又は少なくとも１つの投入すべき第３の荷物の、少なくとも部分的に前記少なくとも１つのバッファーゾーンの外側に配置された前記第２の可動部への挿入の間、前記ハンドリング手段は、前記少なくとも１つの投入すべき第１の荷物を前記少なくとも１つのバッファーゾーンに配置された前記第１の可動部から前記少なくとも１つの保管ゾーンまで移動させ、及び／又は少なくとも１つの回収すべき第３の荷物を、前記少なくとも１つのバッファーゾーンから前記少なくとも１つのバッファーゾーンに配置された前記第１の可動部まで移動させるステップと、
を含むことを特徴とする、方法。